(57)【要約】【課題】冷蔵庫の大気に露出する部分に結露が発生することを抑制することができる技術を提供することである。【解決手段】  冷蔵庫は、本体と、扉部と、吸湿材と、を備える。本体は、貯蔵室を画定している。扉部は、貯蔵室の前面開口を開閉する。吸湿材は、本体及び／又は扉部における大気に露出する部分に配置されている。吸湿材は、大気中に含まれる水を吸湿して、吸湿材内に水を保持する。また、吸湿材は、吸湿材内に保持された水を大気中に放出する。【選択図】  図５
2020094716.tif 000002
【特許請求の範囲】
【請求項１】
貯蔵室を画定する本体と、
前記貯蔵室の前面開口を開閉する扉部と、
前記本体及び／又は前記扉部における大気に露出する部分に配置されている吸湿材と、を備える、冷蔵庫。
【請求項２】
前記扉部は、
前記本体に回動自在に枢支される左扉と、
前記本体に回動自在に枢支される右扉と、
前記左扉と前記右扉とのうちの一方に支持されており、前記左扉と前記右扉とを閉塞する状態において、前記左扉と前記右扉とのうちの他方に当接して、前記左扉と前記右扉との前記隙間を閉塞する仕切体と、を備え、
前記吸湿材は、前記仕切体の前記大気に露出する面に配置されている、請求項１に記載の冷蔵庫。
【請求項３】
前記仕切体は、
前記大気側に開口を有するフレームと、
前記フレームよりも前記大気側に配置されており、前記フレームの前記開口を閉塞する閉塞部材と、を備え、
前記閉塞部材は、前記吸湿材を含む、請求項２に記載の冷蔵庫。
【請求項４】
前記仕切体は、
前記大気側に開口を有するフレームと、
前記フレームよりも前記大気側に配置されており、前記フレームの前記開口を閉塞する閉塞部材と、を備え、
前記吸湿材は、前記閉塞部材の前記大気側の面上に配置されている、請求項２に記載の冷蔵庫。
【請求項５】
前記仕切体は、前記仕切体の内部空間に配置される加熱部材をさらに備える、請求項２から４のいずれか一項に記載の冷蔵庫。
【発明の詳細な説明】
【技術分野】
【０００１】
本明細書は、冷蔵庫に関する。
【背景技術】
【０００２】
特許文献１には、冷蔵庫が開示されている。冷蔵庫は、本体と扉とを備える。本体と扉とによって、貯蔵室が画定されている。
【先行技術文献】
【特許文献】
【０００３】
【特許文献１】特開２０１８−６３００７号公報
【発明の概要】
【発明が解決しようとする課題】
【０００４】
一般的に、貯蔵室の温度は、大気の温度よりも低い。この場合、貯蔵室と大気との温度差によって、冷蔵庫の大気に露出する部分に結露が発生することがある。
【０００５】
本明細書では、冷蔵庫の大気に露出する部分に結露が発生することを抑制することができる技術を提供する。
【課題を解決するための手段】
【０００６】
冷蔵庫は、貯蔵室を画定する本体と、前記貯蔵室の前面開口を開閉する扉部と、前記本体及び／又は前記扉部における大気に露出する部分に配置されている吸湿材と、を備えてもよい。
【０００７】
この構成では、吸湿材は、冷蔵庫の大気に露出する部分付近の大気に含まれる水を吸湿する。このため、冷蔵庫の大気に露出する部分に結露が発生することを抑制することができる。
【０００８】
前記扉部は、前記本体に回動自在に枢支される左扉と、前記本体に回動自在に枢支される右扉と、前記左扉と前記右扉とのうちの一方に支持されており、前記左扉と前記右扉とを閉塞する状態において、前記左扉と前記右扉とのうちの他方に当接して、前記左扉と前記右扉との前記隙間を閉塞する仕切体と、を備え、前記吸湿材は、前記仕切体の前記大気に露出する面に配置されていてもよい。一般的に、左扉と右扉とを備える扉部では、使用者の目線近くに配置される仕切体に結露が発生することが多い。上記の構成では、吸湿材は、仕切体の大気に露出する部分付近の大気に含まれる水を吸湿する。このため、仕切体の大気に露出する部分に結露が発生することを抑制することができる。この結果、仕切体への結露の発生に伴い使用者が感じる不快感を抑制することができる。
【０００９】
前記仕切体は、前記大気側に開口を有するフレームと、前記フレームよりも前記大気側に配置されており、前記フレームの前記開口を閉塞する閉塞部材と、を備え、前記閉塞部材は、前記吸湿材を含んでもよい。この構成では、冷蔵庫を構成する部材の数を少なくすることができる。
【００１０】
前記仕切体は、前記大気側に開口を有するフレームと、前記フレームよりも前記大気側に配置されており、前記フレームの前記開口を閉塞する閉塞部材と、を備え、前記吸湿材は、前記閉塞部材の前記大気側の面上に配置されてもよい。この構成では、吸湿材を仕切体に容易に配置することができる。
【００１１】
前記仕切体は、前記仕切体の内部空間に配置される加熱部材をさらに備えてもよい。この構成では、加熱部材によって、仕切体の温度を上昇させることができる。このため、仕切体が加熱部材を備えない場合と比較して、仕切体の大気に露出する部分の温度と大気の温度との差を小さくすることができる。この結果、仕切体に結露が発生することをさらに抑制することができる。
【図面の簡単な説明】
【００１２】
【図１】第１実施例の冷蔵庫の外観を示す。
【図２】第１実施例の冷蔵庫の左扉と右扉とを開放した状態を示す。
【図３】図１のIII−III線における断面図を示す。
【図４】第１実施例の仕切体を示す。
【図５】第１実施例の仕切体の断面図を示す。
【図６】第２実施例の仕切体の断面図を示す。
【図７】第３実施例の仕切体の断面図を示す。
【図８】第４実施例の仕切体の断面図を示す。
【図９】第５実施例の仕切体の断面図を示す。
【発明を実施するための形態】
【００１３】
（第１実施例）
図１から図５を参照して、冷蔵庫１０を説明する。図１及び図２に示すように、冷蔵庫１０は、本体１２と、扉部１８、２２、２６、３０、４０と、吸湿材８０と、を備える。なお、吸湿材８０については、後で詳述する。本体１２は、断熱性を有する。本体１２は、内部に冷蔵室１４と、野菜室１６と、製氷室２０と、第１冷凍室２４と、第２冷凍室２８と、を画定している。冷蔵室１４と野菜室１６とは、冷蔵温度帯の貯蔵室であり、製氷室２０と、第１冷凍室２４と、第２冷凍室２８と、は、冷凍温度帯の貯蔵室である。
【００１４】
図１に示すように、冷蔵室１４は、本体１２の最上部に位置している。冷蔵室１４の前面開口１４ａは、扉部４０によって開閉される。なお、扉部４０の構成については、後で詳述する。図２に示すように、冷蔵室１４は、内部にチルド室３２を画定している。チルド室３２は、冷蔵室１４の下部に位置している。チルド室３２の左側には、タンク３４が取外し可能に配置されている。タンク３４は、製氷室２０の製氷装置（図示省略）に水を供給する。
【００１５】
図１に示すように、冷蔵室１４の下方には、野菜室１６が配置されている。野菜室１６の前面開口１６ａは、引き出し式の扉部１８によって開閉される。扉部１８が閉鎖される状態において、扉部１８は、ガスケット（図示省略）によって、本体１２との隙間を閉塞し、野菜室１６の気密性を保持する。
【００１６】
野菜室１６の下方には、製氷室２０と第１冷凍室２４とが配置されている。製氷室２０と第１冷凍室２４とは、左右方向に並んで配置されている。製氷室２０の前面開口２０ａは、引き出し式の扉部２２によって開閉される。扉部２２が閉鎖される状態において、扉部２２は、ガスケット（図示省略）によって、本体１２との隙間を閉塞し、製氷室２０の気密性を保持する。
【００１７】
第１冷凍室２４の前面開口２４ａは、引き出し式の扉部２６によって開閉される。扉部２６が閉鎖される状態において、扉部２６は、ガスケット（図示省略）によって、本体１２との隙間を閉塞し、第１冷凍室２４の気密性を保持する。
【００１８】
製氷室２０と第１冷凍室２４との下方には、第２冷凍室２８が配置されている。第２冷凍室２８は、本体１２の最下部に位置している。第２冷凍室２８の前面開口２８ａは、引き出し式の扉部３０によって開閉される。扉部３０は、ガスケット（図示省略）によって、本体１２との隙間を閉塞し、第２冷凍室２８の気密性を保持する。
【００１９】
図３を参照して、扉部４０の構成について説明する。なお、図３では、図の見易さを考慮して、後述する仕切体５０の断面を示す斜線が省略されている。図３に示すように、扉部４０は、観音式の扉である。扉部４０は、左扉４２と、右扉４６と、ガスケット４４、４８と、仕切体５０と、を備える。左扉４２の一端は、即ち、本体１２を正面視して左扉４２の左側の端部は、本体１２に回動自在に枢支されている。右扉４６の一端は、即ち、本体１２を正面視して右扉４６の右側の端部は、本体１２に回動自在に枢支されている。このため、左扉４２と右扉４６とを本体１２に対して回動させることによって、冷蔵室１４の前面開口１４ａを開放する開放状態と、冷蔵室１４の前面開口１４ａを閉塞する閉塞状態とが切り替えられる。
【００２０】
左扉４２の周縁部よりも若干内側の裏面には、ガスケット４４が配置されている。なお、裏面は、冷蔵庫１０を正面視したときの冷蔵庫１０の前面と反対側の面である。ガスケット４４は、左扉４２に取り外し可能に取り付けられている。ガスケット４４は、内部に永久磁石を収容している。閉塞状態において、ガスケット４４は、左扉４２の裏面と本体１２との隙間を閉塞する。右扉４６の周縁部よりも若干内側の裏面には、ガスケット４８が配置されている。ガスケット４８は、右扉４６に取り外し可能に取り付けられている。ガスケット４８は、内部に永久磁石を収容している。閉塞状態において、ガスケット４８は、右扉４６の裏面と本体１２との隙間を閉塞する。
【００２１】
左扉４２の一端、即ち、本体１２を正面視して左扉４２の右側の端部には、仕切体５０が配置されている。仕切体５０は、左扉４２の裏面に回動可能に支持されている。開放状態から閉塞状態に切り替えると、仕切体５０は、本体１２に当接することによって回動して、左扉４２の右側の端部に配置される部分のガスケット４４と、右扉４６の左側の端部に配置される部分のガスケット４８と、に当接する。この結果、冷蔵室１４の気密性が保持される。
【００２２】
図４及び図５に示すように、仕切体５０は、閉塞部材６０と、フレーム５２と、キャップ６２、６４と、断熱材７０と、永久磁石７２、７４と、加熱部材７６、７８と、を備える。閉塞部材６０は、矩形状の平板である。閉塞部材６０の幅、即ち、閉塞部材６０の左右方向の長さは、閉塞状態における左扉４２と右扉４６との隙間の長さよりも大きい。閉塞部材６０の高さ、即ち閉塞部材６０の上下方向の長さは、冷蔵室１４の前面開口１４ａの上下方向の長さよりも大きい。閉塞部材６０は、閉塞状態において、ガスケット４４、４８に当接する。これにより、冷蔵室１４と大気とが遮断される。閉塞状態において、閉塞部材６０の前面の一部は、左扉４２と右扉４６との隙間から大気に露出する。
【００２３】
閉塞部材６０は、吸湿材８０で作製されている。閉塞部材６０は、吸湿材８０を含む。吸湿材８０は、吸湿物質を含む成形体である。吸湿材８０は、例えば、吸湿物質を凝結硬化材で固めた後、乾燥することによって、又は、吸湿物質を粘土と混合した後、焼成することによって、作製される。ここで、凝結硬化材は、例えば、セメントを水と混合することによって作製される。なお、変形例では、吸湿材８０は、樹脂成形体の表面の全体に、吸湿物質と凝結硬化剤との混合物を塗布し、乾燥することによって作製されてもよい。
【００２４】
吸湿物質は、水を保持することができる。吸湿物質は、例えば、珪藻土又は多孔質セラミックスである。この場合、吸湿物質は、内部に細孔を有しており、細孔内に水を保持する。なお、変形例では、吸湿物質は、分子構造に親水基を有する高分子であってもよい。この場合、吸湿物質は、親水基と水との相互作用によって水を保持する。
【００２５】
吸湿材８０は、吸湿物質によって大気中の水（即ち水蒸気）を吸湿して、吸湿材８０内に保持する。これにより、大気の湿度が低下する。また、吸湿材８０は、吸湿材８０内に保持された水蒸気を大気中に放出する。例えば、吸湿材８０は、大気の湿度が７０％よりも高い場合に、大気から水蒸気を吸湿し、大気の湿度が４０％よりも低い場合に、吸湿材８０内に保持された水蒸気を大気中に放出する。この結果、吸湿材８０は、水蒸気の吸湿と放出を繰り返すことによって、大気の湿度を調節する。また、吸湿材８０は、吸湿材８０の表面上の液体の水を吸収し、吸湿材８０内に保持する。また、吸湿材８０は、吸湿材８０内に保持された液体の水を水蒸気として大気中に放出する。
【００２６】
図５に示すように、フレーム５２は、側板５４、５６と後板５８とを備える。フレーム５２は、閉塞部材６０よりも冷蔵室１４側に配置されている。側板５４は、閉塞部材６０の左端側の裏面に当接している。側板５４は、樹脂材料で作製されている。側板５４は、矩形状の平板である。側板５４の上下方向の長さは、閉塞部材６０の上下方向の長さと略同一である。側板５６は、閉塞部材６０の右端側の裏面に当接している。側板５６は、側板５４と同様の構成を有する。
【００２７】
側板５４、５６の閉塞部材６０と当接する端と反対側の端には、後板５８が配置されている。後板５８は、側板５４、５６と一体的に作製されている。後板５８は、樹脂材料で作製されている。後板５８は、矩形状の平板である。後板５８の上下方向の長さは、閉塞部材６０の上下方向の長さと略同一である。後板５８と側板５４、５６、即ち、フレーム５２は、閉塞部材６０側に（即ち、大気側に）開口を有する。また、フレーム５２の開口は、閉塞部材６０によって閉塞されている。
【００２８】
図４に示すように、フレーム５２と閉塞部材６０との上端には、キャップ６２が配置されている。キャップ６２は、フレーム５２と閉塞部材６０とによって形成される上部開口を閉塞する。フレーム５２と閉塞部材６０との下端には、キャップ６４が配置されている。キャップ６４は、フレーム５２と閉塞部材６０とによって形成される下部開口を閉塞する。閉塞部材６０と、フレーム５２と、キャップ６２、６４と、によって、内部空間６６が画定されている。
【００２９】
図５に示すように、内部空間６６には、断熱材７０と、永久磁石７２、７４と、加熱部材７６、７８と、が配置されている。断熱材７０は、例えばポリエチレン発泡体である。断熱材７０は、両面テープ等によってフレーム５２に固定されている。冷蔵室１４の閉塞状態において、断熱材７０は、冷蔵室１４の冷気によって閉塞部材６０の温度が変化することを抑制するとともに、大気によって冷蔵室１４の温度が変化することを抑制する。
【００３０】
永久磁石７２、７４は、互いに間隔を有して配置されている。永久磁石７２、７４は、両面テープ等によって閉塞部材６０の裏面に固定されている。永久磁石７２、７４の極性は、ガスケット４４、４８に収容されている永久磁石の極性と異なる。閉塞状態において、永久磁石７２、７４は、ガスケット４４、４８に収容されている永久磁石と引き合う。
【００３１】
加熱部材７６、７８は、閉塞部材６０（即ち吸湿材８０）よりも冷蔵室１４側であって、断熱材７０よりも大気側に配置されている。加熱部材７６、７８は、永久磁石７２、７４の間に配置されている。加熱部材７６、７８は、互いに間隔を有して配置されている。加熱部材７６、７８は、例えば、電気ヒータである。加熱部材７６、７８は、金属テープ等によって閉塞部材６０の裏面に固定されている。加熱部材７６、７８は、制御部（図示省略）から電力が供給されると、発熱する。これによって、閉塞部材６０の温度は上昇する。一方、断熱材７０の断熱効果によって、フレーム５２の温度上昇が抑制される。この結果、フレーム５２の冷蔵室１４側の面に結露が発生することを抑制することができる。
【００３２】
（効果）
まず、結露が発生する原因を説明する。一般的に、冷蔵室１４内の温度は、大気の温度よりも低い。このため、仕切体５０は、冷蔵室１４によって冷やされる。この場合、仕切体５０の大気側の面、即ち閉塞部材６０の前面の温度は、大気の温度よりも低くなる。この結果、閉塞部材６０の前面付近の飽和水蒸気量が低くなる。大気中の水の量が閉塞部材６０の前面付近の飽和水蒸気量を超えると、結露が発生する。第１実施例に係る冷蔵庫１０では、吸湿材８０は、仕切体５０の大気側の面に配置されている。このため、吸湿材８０は、吸湿材８０の前面付近の大気中に含まれる水蒸気を吸湿する。この結果、吸湿材８０の前面付近の大気の湿度が低くなる。これにより、吸湿材８０を備えていない冷蔵庫と比較して、仕切体５０に結露が発生することを抑制することができる。この結果、仕切体５０に結露が発生することにより使用者が感じる不快感を抑制することができる。
【００３３】
閉塞部材６０は、吸湿材８０で作製されている。このため、閉塞部材６０によって、フレーム５２の開口を閉塞するとともに、大気中の水蒸気を吸湿することができる。この結果、冷蔵庫１０を構成する部材の数を少なくすることができる。
【００３４】
加熱部材７６、７８は、閉塞部材６０と、フレーム５２と、キャップ６２、６４と、によって画定される内部空間６６に配置されている。また、加熱部材７６、７８は、制御部から電力が供給されると、発熱する。このため、閉塞部材６０の温度を上昇させることができる。この結果、仕切体５０が加熱部材７６、７８を備えない場合と比較して、閉塞部材６０の温度と大気の温度との差を小さくすることができる。この結果、仕切体５０に結露が発生することを抑制することができる。
【００３５】
（第２実施例）
次に、図６を参照して、第２実施例を説明する。第２実施例では、第１実施例と異なる点を説明し、第１実施例と同様の点については同様の符号を付して説明を省略する。第２実施例では、吸湿材８０は、閉塞部材６０と別体である。即ち、第２実施例に係る閉塞部材６０は、吸湿材８０を含まない。なお、閉塞部材６０は、樹脂材料で作製されている。また、閉塞部材６０は、フレーム５２の大気側の開口を閉塞する。
【００３６】
閉塞部材６０の前面上には、吸湿材８０が配置されている。吸湿材８０は、閉塞部材６０に支持されている。冷蔵室１４の閉塞状態において、吸湿材８０は、ガスケット４４、４８に当接する。閉塞状態において、吸湿材８０の前面の一部は、大気に露出している。吸湿材８０は、吸湿物質を凝結硬化材で固めた後、乾燥することによって作製される塗膜である。この場合、閉塞部材６０の前面上に、即ち、閉塞部材６０の大気側の面上に、吸湿物質と凝固硬化剤との混合物を塗布して、乾燥させることによって、吸湿材８０は、閉塞部材６０の前面上に配置される。なお、変形例では、吸湿材８０は、例えば、吸湿物質を凝結硬化材で固めた後、乾燥することによって作製される成形体であってもよく、又は、吸湿物質を粘土と混合した後、焼成することによって、作製される成形体であってもよい。この場合、吸湿材８０は、両面テープや接着剤等によって、閉塞部材６０の前面上に配置されていてもよい。
【００３７】
（効果）
閉塞部材６０の前面上に、即ち、閉塞部材６０の大気側の面上に、吸湿物質と凝固硬化剤との混合物を塗布して、乾燥させることによって、吸湿材８０は、閉塞部材６０の前面上に配置される。このため、吸湿材８０を、閉塞部材６０の前面上、即ち仕切体５０に容易に配置することができる。
【００３８】
（第３実施例）
次に、図７を参照して、第３実施例を説明する。第３実施例では、第２実施例と異なる点を説明し、第２実施例と同様の点については同様の符号を付して説明を省略する。第３実施例では、吸湿材８０は、閉塞部材６０の前面上にあって、冷蔵室１４の閉塞状態においてガスケット４４、４８に当接しない範囲に配置されている。なお、図７では、閉塞状態における吸湿材８０とガスケット４４、４８との位置関係を理解し易くするために、ガスケット４４、４８が破線によって図示されている。吸湿材８０は、閉塞状態において、ガスケット４４、４８間に配置されている。閉塞状態において、吸湿材８０の全ての前面は、大気に露出している。
【００３９】
（第４実施例）
次に、図８を参照して、第４実施例を説明する。第４実施例では、第２実施例と異なる点を説明し、第２実施例と同様の点については同様の符号を付して説明を省略する。第４実施例では、閉塞部材６０は、第１係合部１６２を備える。第１係合部１６２は、閉塞部材６０の前面から冷蔵室１４側に向かって凹んでいる。第１係合部１６２は、第１部分１６４と第２部分１６６とを備える。第１部分１６４は、閉塞部材６０の前面側に位置している。第１部分１６４は、閉塞部材６０の前面から冷蔵室１４側に向かって、一定の第１の幅Ｗ１（即ち、左右方向の長さ）を有している。第２部分１６６は、第１部分１６４よりも冷蔵室１４側に配置されている。第２部分１６６は、第１部分１６４に隣接している。第２部分１６６は、第１部分１６４に隣接する位置から冷蔵室１４側に向かって、一定の第２の幅Ｗ２を有している。第２部分１６６の第２の幅Ｗ２は、第１部分１６４の第１の幅Ｗ１よりも大きい。
【００４０】
吸湿材８０は、前部１８２と第２係合部１８４とを備える。前部１８２は、閉塞部材６０の前面上に配置されている。前部１８２の幅Ｗ３は、第２係合部１８４の第１の幅Ｗ１よりも大きい。前部１８２よりも冷蔵室１４側には、第２係合部１８４が配置されている。第２係合部１８４は、前部１８２の冷蔵室１４側の面に当接している。第２係合部１８４は、閉塞部材６０の前面よりも冷蔵室１４側に配置されている。第２係合部１８４は、前部１８２の冷蔵室１４側の面から冷蔵室１４に向かって、所定位置まで第１の幅Ｗ１で延びており、所定位置を超えると第２の幅Ｗ２で延びている。第２係合部１８４は、第１係合部１６２内に配置されている。これにより、第２係合部１８４は、第１係合部１６２に係合している。この結果、冷蔵庫１０の開閉動作等によって、吸湿材８０が閉塞部材６０から外れることを抑制することができる。
【００４１】
上下方向（即ち、図７の紙面に直交する方向）において、第２係合部１８４を第１係合部１６２に挿入することによって、吸湿材８０が閉塞部材６０に取り付けられる。
【００４２】
（第５実施例）
次に、図９を参照して、第５実施例を説明する。第５実施例では、第４実施例と異なる点を説明し、第４実施例と同様の点については同様の符号を付して説明を省略する。第５実施例では、吸湿材８０は、第４実施例の前部１８２に対応する部分を備えていない。即ち、吸湿材８０は第２係合部１８４である。第２係合部１８４の第１の幅Ｗ１は、閉塞状態におけるガスケット４４、４８間の幅に等しい。なお、図９では、閉塞状態における第２係合部１８４とガスケット４４、４８との位置関係を理解し易くするために、ガスケット４４、４８が破線によって図示されている。閉塞状態において、第２係合部１８４の前面は、ガスケット４４、４８に当接していない。閉塞状態において、第２係合部１８４のすべての前面は、大気に露出している。
【００４３】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。
【００４４】
（１）上記の各実施例では、本体１２の扉部１８、２２、２６、３０と対向する部分に、吸湿材８０がさらに配置されていてもよい。また、仕切体５０に吸湿材８０が配置されておらず、本体１２の扉部１８、２２、２６、３０と対向する部分にのみ吸湿材８０が配置されていてもよい。
【００４５】
（２）上記の各実施例では、仕切体５０は、回動自在に左扉４２に支持されている。しかしながら、仕切体５０は、左扉４２に固定されており、回動しない構成であってもよい。
【００４６】
（３）上記の各実施例では、仕切体５０は、左扉４２に支持されている。しかしながら、仕切体５０は、右扉４６に支持されていてもよい。
【００４７】
（４）上記の各実施例では、仕切体５０は、２個の加熱部材７６、７８を備える。しかしながら、仕切体５０は、１個の加熱部材を備えていてもよく、３個以上の加熱部材を備えてもよい。また、仕切体５０は、加熱部材を備えていなくてもよい。
【００４８】
（５）上記の第２実施例では、吸湿材８０は、閉塞部材６０の前面の全体に配置されている。しかしながら、吸湿材８０は、閉塞部材６０の前面の一部に配置されていてもよい。
【００４９】
また、本明細書又は図面に説明した技術要素は、単独であるいは各種の組合せによって技術的有用性を発揮するものであり、出願時請求項記載の組合せに限定されるものではない。また、本明細書又は図面に例示した技術は複数目的を同時に達成し得るものであり、そのうちの一つの目的を達成すること自体で技術的有用性を持つものである。
【符号の説明】
【００５０】
１０    ：冷蔵庫
１２    ：本体
１４    ：冷蔵室
１４ａ  ：前面開口
４０    ：扉部
４２    ：左扉
４４、４８：ガスケット
４６    ：右扉
５０    ：仕切体
５２    ：フレーム
５４、５６：側板
５８    ：後板
６０    ：閉塞部材
６２、６４：キャップ
６６    ：内部空間
７０    ：断熱材
７２、７４：永久磁石
７６、７８：加熱部材
８０    ：吸湿材
１６２  ：第１係合部
１８４  ：第２係合部
【図１】
2020094716.tif 000003
【図２】
2020094716.tif 000004
【図３】
2020094716.tif 000005
【図４】
2020094716.tif 000006
【図５】
2020094716.tif 000007
【図６】
2020094716.tif 000008
【図７】
2020094716.tif 000009
【図８】
2020094716.tif 000010
【図９】
2020094716.tif 000011